(57)【要約】【課題】ＩＣカードと非ＩＣカードとを同時に取り扱うことができるＩＣカードリーダシステムを提供する。【解決手段】情報を記録したＩＣカードとＩＣカード以外の情報を記録した非ＩＣカードとを取り入れて、情報を処理するカードリーダである。ＩＣカードの処理を行うＩＣリーダと、その後部に位置して非ＩＣカードの処理を行う後部ユニットとを備える。ＩＣカードと非ＩＣカードを識別する識別手段と、挿入されたＩＣカードと非ＩＣカードとを搬送する第１の搬送手段と、ＩＣカードが存在する間は後部ユニットと隔絶するシャッタとを備え、後部ユニットは、挿入されシャッタを通過した非ＩＣカードを搬送する第２の搬送手段を備えて、シャッタによりＩＣリーダには、ＩＣカードと非ＩＣカードが同時に存在させない。【選択図】  図1
2019175092.tif 000002
【特許請求の範囲】
【請求項１】
情報を記録したＩＣカードとＩＣカード以外の情報を記録した非ＩＣカードとを取り入れて、情報を処理するカードリーダであって、
ＩＣカードの処理を行うＩＣリーダと、前記ＩＣリーダの後部に位置して非ＩＣカードの処理を行う後部ユニットとを備え、
前記ＩＣリーダは、ＩＣカードと非ＩＣカードを識別する識別手段と、挿入されたＩＣカードと非ＩＣカードとを搬送する第１の搬送手段と、ＩＣカードが存在する間は後部ユニットと隔絶するシャッタとを備え、
後部ユニットは、挿入されシャッタを通過した非ＩＣカードを搬送する第２の搬送手段を備えることを特徴とするＩＣカードリーダシステム。
【請求項２】
シャッタが、所定方向に移動してＩＣカードの通過を阻止するとともに反対方向に移動して非ＩＣカードの通過を可能とする間隙を鋸歯状辺を有する移動片により形成したことを特徴とする請求項１に記載のＩＣカードリーダシステム。
【発明の詳細な説明】
【技術分野】
【０００１】
本発明は、ＩＣカードと非ＩＣカードとを取り扱うことのできるＩＣカードリーダシステムに関するものである。
【背景技術】
【０００２】
ＩＣカードを利用する施設として例えば駐車場システムでは、駐車情報を記録する駐車券の情報処理のための駐車券リーダと、精算のためのクレジットカードの情報処理のためのクレジットカードリーダとを搭載するものがある。これらのリーダを１つのリーダに集約した場合にＩＣカードを取り扱うには「据え置き型端末のＣＡＴ・ＣＣＴ・加盟店ＰＯＳなど、ＩＣカード用のＰＩＮ入力を行う端末で確保されるべきセキュリティ要件」（以下、「ＰＣＩ−ＰＴＳ」と称することがある。なお、ＰＣＩ−ＰＴＳは、”Payment Card Industry (PCI) PIN Transaction Security(PTS)”の略称である。）という要件を満たす必要があり、ＩＣカードと非ＩＣカードを各リーダの内部に同時に存在させない構造としなければならない。
例えば、特許文献特開平１１−１８５０７５公報に、高速道路における通行料金の精算を行うために、磁気カード式料金収受システムと、ＩＣカードをプリペイカード的な方式及びＩＣカードをクレジットカード的な方式で利用する方法が示され、さらにはこれらの方式を修正したものが特許文献に説明されている。
しかし、これらの記載は磁気カードとＩＣカードにより料金を精算することを示すだけであり、磁気カードとＩＣカードとを同時に利用することためのリーダに言及されていない。
【先行技術文献】
【特許文献】
【０００３】
【特許文献１】特開平１１−１８５０７５号公報
【発明の概要】
【発明が解決しようとする課題】
【０００４】
解決しようとする問題点は、ＩＣカードと非ＩＣカードとを同時に取り扱うことができるＩＣカードリーダシステムを提供する点である。
【課題を解決するための手段】
【０００５】
本発明の請求項１に係るＩＣカードリーダシステムは、情報を記録したＩＣカードとＩＣカード以外の情報を記録した非ＩＣカードとを取り入れて、情報を処理するカードリーダであって、ＩＣカードの処理を行うＩＣリーダと、前記ＩＣリーダの後部に位置して非ＩＣカードの処理を行う後部ユニットとを備え、前記ＩＣリーダは、ＩＣカードと非ＩＣカードを識別する識別手段と、挿入されたＩＣカードと非ＩＣカードとを搬送する第１の搬送手段と、ＩＣカードが存在する間は後部ユニットと隔絶するシャッタとを備え、後部ユニットは、挿入されシャッタを通過した非ＩＣカードを搬送する第２の搬送手段を備えることを特徴とするものである。
【０００６】
本発明の請求項２に係るＩＣカードリーダシステムは、請求項１に記載のものにおいて、シャッタが、所定方向に移動してＩＣカードの通過を阻止するとともに反対方向に移動して非ＩＣカードの通過を可能とする間隙を鋸歯状辺を有する移動片により形成したことを特徴とするものである。
【発明の効果】
【０００７】
請求項１に記載の発明におけるＩＣカードリーダシステムは、ＩＣリーダは、ＩＣカードと非ＩＣカードを識別し、挿入されたＩＣカードと非ＩＣカードとを搬送する。ＩＣリーダにＩＣカードが存在する間はＩＣリーダと後部ユニットとをシャッタにより隔絶して、ＩＣリーダにはＩＣカードと非ＩＣカードが同時に存在させないことができる。
【０００８】
請求項２に記載の発明におけるＩＣカードリーダシステムは、シャッタが、下方向に移動してＩＣカードの通過を阻止するとともに上方向に移動して非ＩＣカードの通過を可能とする間隙を鋸歯状辺を有する移動片により形成したから、わずかな間隙が形成されている間にＩＣカードが間隙を通過しようとしても、上下の鋸歯状が互いに重なり部分によりＩＣカードを通過させることはない。
【図面の簡単な説明】
【０００９】
【図１】ＩＣカードリーダシステムを説明する図である。
【図２】精算機を説明する図である。
【図３】精算機を説明する図である。
【図４】リーダ組立体の説明図である。
【図５】ＩＣカードが挿入された状態のリーダ組立体の説明図である。
【図６】リーダ組立体と挿入されたＩＣカードの斜視図である。
【図７】シャッタを説明する図である。
【図８】リーダ組立体のＩＣカードと駐車券の搬送処理動作を説明する図である。
【図９】リーダ組立体のＩＣカードと駐車券の搬送処理動作を説明する図である。
【図１０】リーダ組立体のＩＣカードと駐車券の搬送処理動作を説明する図である。
【図１１】リーダ組立体のＩＣカードと駐車券の搬送処理動作を説明する図である。
【図１２】料金精算の流れの一例を示す図である。
【図１３】ＩＣカード及び駐車券等の判別の流れの一例を示す図である。
【実施例１】
【００１０】
図２は、駐車場システムに用いられ本発明のＩＣカードリーダシステムが利用される精算機であり、駐車券により駐車料金の計算を行い、クレジットカード、サービス券及び金銭の授受により駐車料金の精算を行う装置である。図２（ａ）は平面図、図２（ｂ）は正面図、図２（ｃ）は右側面図である。図２において、２０１は筐体、２０２は筐体２０１内に収容されるリーダ組立体、２０３はリーダ組立体２０２を搭載し筐体２０１内外に移動可能とさせるトレーであり、不正に引き抜かれる行為があった場合は、図示しないセンサ等の検知により、図１に説明するＩＣリーダ１０１のデータを破壊する。図２は前扉閉状態を示す。
図３は、精算機の前扉開状態を示し、図３（ａ）は平面図、図３（ｂ）は正面図、図３（ｃ）は右側面図である。リーダ組立体２０２をトレー２０３とともに滑らせて、筐体２０１の正面から一部出した状態を示す。
【００１１】
図１は、ＩＣカードリーダシステムを構成し、精算機に搭載されるリーダ組立体２０２を説明する斜視図である。１０１はＩＣリーダ、１０２は後部ユニット、２０２はリーダ組立体、１０４はＩＣカード、１０５１は駐車券、１０５２はサービス券である。図１の場合は、ＩＣカード１０４の場合を示し、駐車券１０５１、サービス券１０５２については挿入されることがあることを示している。この実施例において、ＩＣカードとＩＣカードで無いカードすなわち非ＩＣカードとを区別するが、非ＩＣカードとして上述の駐車券、サービス券があり、磁気記録可能な磁気ストライプを有し、JIS X 6301:2005の規格のもので、プラスチック製のカード、0.19mm〜0.8mmの紙製の券、カードが用いられ挿入される。
１０６はカード抜き差し防止用のピンであり、ＩＣカード１０４の処理中にカードが抜かれないためまた、カードを受け付けないためにカードの挿入を防止するピンである。１０７はシャッタ、１０８，１０９は磁気ヘッド、１１０はＩＣコンタクト、１１１，１１２は磁気ヘッドである。後部ユニット１０２の後方に蝶番１０２１を介してカバー１０２２が連結される。
ＩＣリーダ１０１と後部ユニット１０２は断面が長方形を形成して、連結している。ＩＣリーダ１０１と後部ユニット１０２でリーダ組立体２０２を構成している。リーダ組立体２０２において、精算時は、ＩＣリーダ１０１に駐車券１０５１が挿入され後部ユニット１０２に搬送されると、駐車料金の精算を行う。現金、ＩＣカード精算の他に、サービス券１０５２を挿入し、後部ユニット１０２で処理し回収後残額を精算する場合がある。精算後は、駐車券１０５１を返却する場合がある。なお、図示しないが、現金精算のため、精算機の正面に現金を扱う装置が搭載され現金投入口を備える。
ＩＣリーダ１０１の前方部の一部が、後方に後退して、段差を形成している。ＩＣリーダ１０１の前面１０１ａと後退面１０１ｂには、ＩＣカード１０４、駐車券１０５１、サービス券１０５２等（以下、「カード等」ということがある。）が挿入可能となる間隙１０１ｃが形成される。
ＩＣリーダ１０１と後部ユニット１０２は、シャッタ１０７で隔絶される。シャッタ１０７は、ＩＣリーダ１０１が後部ユニット１０２と連結するＩＣリーダ１０１の後端に設けられる例を示すが、後部ユニット１０２がＩＣリーダ１０１と連結する後部ユニット１０２の先端に設けてもよい。
図４は、リーダ組立体２０２の内蔵部品可視とした側面図を含む説明図である。図４において、４０１は挿入口、４０２は第１センサ、４０３は第２センサ、４０４はモータ、４０５は第１の搬送手段としての第１搬送ローラ、４０６は第２の搬送手段としての第２搬送ローラである。
図５は、リーダ組立体２０２にＩＣカード１０４が挿入され、ＩＣカード１０４が第１の搬送ローラ４０５で搬送されシャッタ１０７前方でとまっている状態を説明する図である。
図６は、リーダ組立体２０２のＩＣリーダ１０１を説明する斜視図であり、（ａ）は前方部から見た斜視図、（ｂ）は後方部から見た斜視図、（ｃ）はＩＣリーダ１０１の位置を示すリーダ組立体２０２の斜視図である。
【００１２】
ＩＣリーダ１０１は、「据え置き型端末のＣＡＴ・ＣＣＴ・加盟店ＰＯＳなど、ＩＣカード用のＰＩＮ入力を行う端末で確保されるべきセキュリティ要件」（ＰＣＩ−ＰＴＳ）を満たしている構造であることが要求される。
ＩＣカード１０４が挿入されている間は、ＩＣリーダ１０１と後部ユニット１０２はシャッタ１０７で隔絶されており、ＰＣＩ−ＰＴＳ要件に対応したＩＣリーダ１０１だけの装置となる。
駐車券１０５１、サービス券１０５２等のＩＣカード１０４以外のカードが挿入された場合、シャッタ１０７を開き後部ユニット１０２にカードを搬送させシャッタ１０７を閉じる。
ＩＣカード１０４が挿入された場合は、シャッタ１０７は開かない。また、抜き取られるまでは開かない。
シャッタ１０７が完全に閉じないとＩＣカード１０４を挿入することはできない。
【００１３】
シャッタ１０７は、外部からの不正な行為に対し保護されており、ＰＣＩ−ＰＴＳ要件に対応したＩＣリーダ１０１だけの装置となる。
シャッタ１０７は、ＦＰＣ（フレキシブルプリント基板）、あるいは細いケーブル等を通された場合は、シャッタ１０７が閉じきらない構造とする。シャッタ１０７は、図７に示されるように上下方向に移動する移動片１０７ａを有し、その下端に鋸歯状を形成する。移動片１０７ａの下方にはＩＣリーダ１０１の後方壁を構成する後方壁面１０１ｄ，１０１ｅがその上端に鋸歯状部分を形成して、配置される。
磁気ヘッド１０８，１０９により駐車券１０５１が検知され、判断された状態で、ＩＣリーダ１０１内の図示しないＩＣチップからデータを盗み取る改ざん装置としてＦＰＣまたは細いケーブル等が通された場合に、シャッタ１０７は、その鋸歯状部分でＦＰＣに対し引っかかりを作り、極力隙間をなくし、シャッタが閉じ切る状態となる構造とすることで、こじ開け等を含め一定時間シャッタ１０７が閉じない状態を検知した場合に、図示しない制御部によりＩＣリーダ１０１のデータを破壊する。ＦＰＣまたは細いケーブル等を通す場合があってもシャッタ１０７で阻止する構造としている。図示しない制御部はリーダ組立体２０２全体の制御処理を行う。
ＩＣカード１０４と駐車券１０５１は同一の挿入口４０１で対応しつつＰＣＩ−ＰＴＳ要件に対応したリーダライタを実現することができる。
挿入口４０１近くの磁気ヘッド１０８，１０９で挿入されカードに磁気の有／無があるかを判別する。無い場合は抜き取りを促す。
挿入口４０１近くの磁気ヘッド１０８，１０９でＩＣチップ情報の無い磁気を読み取った場合は、ＩＣカード以外の非ＩＣカードとして処理する。
ＩＣカード１０４は、挿入口４０１近くの磁気ヘッド１０８，１０９でＩＣチップ情報を読み取った場合、ＩＣコンタクト１１０でＩＣチップを確認する。ＩＣカードと確認できない場合は、抜き取りを促す。
ＩＣカード１０４は、駐車券１０５１挿入（料金請求）後のみ受け付ける。駐車券１０５１挿入前にＩＣカード１０４が挿入された場合は抜き取りを促す。
【００１４】
後部ユニット１０２は、ＩＣリーダ１０１の後部と接合され、ＩＣカード以外の非ＩＣカードすなわち磁気券の処理を行う。後部ユニット１０２は、ＰＣＩ−ＰＴＳ要件非対応である。
後部ユニット１０２は、駐車場の精算機に搭載されるホスト装置からのコマンド制御により磁気カード上に情報を記録し、また記録された情報を有する磁気カードリーダーライタであり、清掃等で係員、保守員等は内外部に触ることができる。
【００１５】
以下に、ＩＣカード１０４及び駐車券１０５１を搬送処理する動作を説明する。
図８は、搬送処理動作を説明する図である。
例えば、駐車場の精算において、車両または利用客が精算機に近づいたときに、精算機において図示しないセンサでその到来を検知し、精算開始（受付状態）となり、抜き差し防止用のピン１０６が上昇して開く。精算済みの車両が出庫で前が詰まった場合あるいは精算機の故障等ではピン１０６は下降したままで受付できない場合がある。
図８の（１）において、受付可能となり、カード抜き差し防止ピン１０６が開くと、駐車券１０５１をＩＣリーダ１０１のカード挿入口４０１から挿入する。このとき、シャッタ１０７は閉じた状態である。
利用者はカード挿入口４０１をみることができ、挿入口に妨害物や、他の邪魔なものがあるときはその存在を知ることができる。
図８の（２）において、駐車券１０５１は磁気ヘッド１０８，１０９で検知され、その磁気データが読み取られ、駐車券等の券種が判別される。ＩＣリーダ１０１の図示しない処理部は駐車券等の種類に応じた処理をする。カード抜き差し防止ピン１０６が閉じる。駐車券１０５１として判別されるとシャッタ１０７が開かれる。
図８の（３）において、駐車券１０５１は、シャッタ１０７を通過し後部ユニット１０２に搬送される。
図９の（４）において、図示しない位置センサ（例えば光学センサ）により、駐車券１０５１が第２の搬送ローラ４０６により所定位置に搬送され後部ユニット１０２に収まったことが検知され、シャッタ１０７が閉じられ、磁気ヘッド１１１，１１２により駐車券１０５１の磁気情報を読み取りその処理を行う。
図９の（５）において、ＩＣカード受付可能となり、カード抜き差し防止ピンが開く。  ＩＣリーダ１０１の後方端のシャッタ１０７は閉じた状態である。
図９の（６）において、ＩＣカード１０４が挿入され、磁気ヘッド１０８，１０９により磁気カードでないことが判別されると、図示しないセンサによりカードが収まったことが検知され、カード抜き差し防止ピン１０６が閉じる。ＩＣカード１０４がＩＣリーダ１０１に収まったことを検知され、ＩＣカードであると判定され、ＩＣコンタクト１１０によりＩＣカード１０４の情報を読み取り、ＩＣカード１０４に対する処理がされる。このとき、ＩＣリーダ１０１とその後方にある後部ユニット１０２を隔絶するシャッタは閉じた状態である。
図１０の（７）において、ＩＣカード１０４の処理が完了すると、カード抜き差し防止ピン１０６が開く。ＩＣカード１０４が挿入口４０１から出され抜き取れる状態となり、抜き取られる。このとき、リーダ組立体２０２のＩＣリーダ１０１のシャッタ１０７は閉じた状態である。
図１０の（８）において、図示しないセンサがＩＣリーダ１０１にカードがないことを検知し、シャッタ１０７が開く。
図１０の（９）において、駐車券１０５１は、第２の搬送ローラ４０６により搬送されシャッタ１０７を通過し、ＩＣリーダ１０１に搬送される。
図１１の（１０）において、駐車券１０５１がシャッタ１０７を通過し、ＩＣリーダ１０１に搬送され、第１の搬送ローラ４０５により所定位置に搬送されたことを図示しないセンサが検知すると、ＩＣリーダ１０１のシャッタ１０７が閉じる。
図１１の（１１）において、駐車券１０５１が抜き取られる、カード抜き差し防止ピン１０６が閉じる。
この状態において、ＩＣカード１０４と駐車券１０５１が、いずれのセンサにより検知されることはないから、ＩＣリーダ１０１または後部ユニット１０２で同時に存在することはなく、駐車券１０５１の通過以外では、確実にＩＣリーダ１０１後方部のシャッタ１０７が閉じている。
【００１６】
以下に、料金精算の流れの代表例を図１２により説明する。
料金精算には、（１）現金、ＩＣカードでの精算、と（２）サービス券を使用し残額がある場合、ＩＣカードでの精算、とがある。
図１２（ａ）は、現金、ＩＣカードでの精算を説明する。図１２（ａ）の９１０１において、精算開始される。９１０２において、駐車券１０５１を挿入口４０１へ挿入し、後部ユニット１０２へ搬送する。その後、９１０３または９１０５のいずれかに進むことができるが、さきにおこなわれた段階が有効となる。例えば、９１０３の現金投入がされ、９１０４の精算完了となる。または、９１０５のＩＣカード１０４がＩＣリーダ１０１に差し込まれ、９１０６においてＰＩＮ入力され、９１０４の精算完了となる。このとき、９１０２から、９１０３または９１０５に行くかは、いずれに進んでもよいが、９１０３において現金投入されたときは、ＩＣリーダ１０１は受付できなくなり、カード抜き差し防止用のピン１０６が閉じる。９１０４の精算完了の後、ＩＣカード１０４が差し込まれている場合は、９１０７においてＩＣカード１０４をＩＣリーダ１０１から抜き取る。その後、９１０８において駐車券１０５１が返却される場合があり、あるいは９２１２において回収される場合がある。また、９１０４の精算完了の後、９１０９において駐車券１０５１が精算機内に回収される場合がある。
図１２（ｂ）は、サービス券を使用し残額がある場合、現金、ＩＣカードでの精算を説明する。図１２（ｂ）の９２０１において、精算開始される。９２０２において、駐車券１０５１を挿入口４０１へ挿入し、後部ユニット１０２へ搬送する。その後、９２０３においてサービス券１０５２が挿入口４０１へ挿入され、後部ユニット１０２へ搬送されると、９２０４においてサービス券１０５２が回収される。以下、サービス券１０５２の内容に応じた優待処理がされ、精算に反映される。その後、９２０５または９２０７のいずれかに進むことができるが、さきにおこなわれた段階が有効となる。例えば、９２０５の現金投入がされ、９２０６の精算完了となる。または、９２０７のＩＣカード１０４がＩＣリーダ１０１に差し込まれ、９２０８においてＰＩＮ入力され、９２０６の精算完了となる。このとき、９２０３から、９２０５または９２０７に行くかは、いずれに進んでもよいが、９２０５の現金投入されたときは、ＩＣリーダ１０１は受付できなくなり、カード抜き差し防止用のピン１０６が閉じる。９２０６の精算完了の後、ＩＣカード１０４が差し込まれている場合は、９２１０においてＩＣカード１０４をＩＣリーダ１０１から抜き取る。その後、９２１１において駐車券１０５１が返却される場合があり、あるいは９２１２において回収される場合がある。また、９２０６の精算完了の後、９２１２において駐車券１０５１が精算機内に回収される場合がある。
【００１７】
次に、ＩＣカード及び駐車券等の判別の流れを代表例の図１３により説明する。
図１３の１００１において券・カードが挿入される。１００２において磁気の有無が検知される。磁気がなければ１００３において抜き取りを促す。磁気があれば１００４において磁気にＩＣチップ情報存在の有無が判断される。ＩＣチップ情報が無い場合は、１００５においてシャッタ１０７が開き、券・カードを後部ユニット１０２へ搬送する。搬送された券・カードは１００６において後部ユニット１０２により駐車券１０５１，サービス券１０５２等として処理される。１００４において磁気にＩＣチップ情報があるとされた場合１００７に進み、１００７において駐車券１０５１挿入後であるか判断される。挿入後で無いとされた場合は、１００８に進み券・カードの抜き取りを促す。１００７において駐車券１０５１挿入後であるとされた場合は、１００９に進みＩＣコンタクト１１０でＩＣチップであるかを確認される。ＩＣチップの確認がされ無い場合は、１００８に進み券・カードの抜き取りを促す。１００９においてＩＣチップの確認がされた場合は、１０１０に進みＩＣカードとして精算処理される。
【符号の説明】
【００１８】
１０１はＩＣリーダ、１０２は後部ユニット、２０２はリーダ組立体、１０４はＩＣカード、１０５１は駐車券、１０５２はサービス券。１０６はカード抜き差し防止用のピン、１０７はシャッタ、１０８，１０９は磁気ヘッド、１１０はＩＣコンタクト、１１１，１１２は磁気ヘッド。
【図１】
2019175092.tif 000003
【図２】
2019175092.tif 000004
【図３】
2019175092.tif 000005
【図４】
2019175092.tif 000006
【図５】
2019175092.tif 000007
【図６】
2019175092.tif 000008
【図７】
2019175092.tif 000009
【図８】
2019175092.tif 000010
【図９】
2019175092.tif 000011
【図１０】
2019175092.tif 000012
【図１１】
2019175092.tif 000013
【図１２】
2019175092.tif 000014
【図１３】
2019175092.tif 000015